(57)【特許請求の範囲】
【請求項１】
本体フレームと、その本体フレームの前面から突出するとともに撮像レンズが装着可能な環状のレンズ座に回転自在に取付けられたフォーカス調整リングと、前記本体フレームの内周面に前記フォーカス調整リングと対向して設けられるとともに撮像素子が装着され、前記フォーカス調整リングの回転運動に伴ってフォーカス調整リングに近接離隔するように移動する撮像素子取付け部材と、その撮像素子取付け部材を前記フォーカス調整リング側に押圧する押圧部材とを備えた撮像装置において、
前記撮像素子取付け部材の外周部に設けられた複数の突起部と、
前記フォーカス調整リングの外周部に設けられ、その調整リングの円周方向に亘って延在するレール溝と、
前記レンズ座の周囲の本体フレームの前面に設けられ、前記フォーカス調整リングのレール溝に係合する複数の係合突起と、
前記フォーカス調整リングの前記撮像素子取付け部材と対向する面に設けられ、前記フォーカス調整リングを一方に回転させたときに前記撮像素子取付け部材の突起部に当接して前記押圧部材の付勢力に抗して前記撮像素子取付け部材をフォーカス調整リングから離隔する方向に移動させる一方、前記フォーカス調整リングを他方に回転させたときに前記撮像素子取付け部材の突起に当接して前記押圧部材の付勢力によって前記撮像素子取付け部材をフォーカス調整リングに近接させる方向に移動させるカム面とを設けたことを特徴とする撮像装置。
【請求項２】
前記撮像素子取付け部材の外周部から舌状部材を突出させるとともに該舌状部材を前記本体フレームに設けられた棒状部材に摺動自在に挿通させ、
前記押圧部材を、前記棒状部材に挿通されるコイルバネと、前記コイルバネを縮設させるように本体フレームに脱着自在に取付けられ、前記コイルバネによって前記撮像素子取付け部材を付勢させる押え用板バネとから構成することを特徴とする請求項１記載の撮像装置。
【請求項３】
前記フォーカス調整リングの外周部の所定箇所に前記レール溝に連通する複数の切欠きが形成されるとともに前記係合突起が該切欠きを通して前記レール溝に嵌合され、
前記フォーカス調整リングの内周面に、前記フォーカス調整リングが所定回転位置に位置したときに前記撮像素子取付け部材の突起部に衝止して前記切欠きと係合突起が連通するのを阻止するストッパ部を形成したことを特徴とする請求項１または２記載の撮像装置。
【発明の詳細な説明】
【０００１】
【発明の属する技術分野】
本発明は、テレビカメラ、ビデオカメラ、デジタルカメラ等に設けられた撮像素子と撮像レンズとの間の距離を可変してフォーカスを調整する撮像装置に関する。
【０００２】
【従来の技術】
一般に、テレビカメラ、ビデオカメラ、デジタルカメラ等の撮像装置にあっては、撮像レンズと撮像素子の間の光軸方向の距離を調整することにより、フォーカスを調整するようにしており、この撮像装置としては、例えば、特公平７−８０２１号公報に記載されたようなものがあり、図８〜10のように示される。
【０００３】
図８、９において、テレビカメラのフレームの一部を構成する前面エスカッション１の前面からは図示しない撮像レンズが取付けられるレンズ座２が設けられており、このレンズ座２の外周部にはフォーカス調整リング３が回転自在に設けられている。このフォーカス調整リング３は図10に示すように内周面にカム面３ａが形成されており、このカム面３ａは図10中、レンズ座２の突出方向先端部から基端部に向かって深くなるような傾斜面に形成されている。
【０００４】
また、このフォーカス調整リング３には一対の穴３ｂが形成されており、この穴３ｂにはそれぞれボルト４ａ、４ｂが挿通されるようになっている。また、レンズ座２には一対のネジ穴２ａが形成されており、フォーカス調整リング３をレンズ座２に取付ける際には、レンズ座２にフォーカス調整リング３を重ねた後、穴３ｂとネジ穴２ａを位置合わせし、次いで、ボルト４ａ、４ｂを穴３ｂを通してネジ穴２ａに螺合させる。
【０００５】
このようにしてフォーカス調整リング３をレンズ座２に取付けた後、フォーカス調整リング３をレンズ座２に対して回転させると、フォーカス調整リング３のカム面３ａがレンズ座２に固定されたボルト４ａ、４ｂに沿って移動するため、フォーカス調整リング３がレンズ座２に対して進退する、すなわち、レンズ座２の突出方向（光軸方向）に沿って移動する。
【０００６】
また、前面エスカッション１の背面にはブラケット５が取付けられており、このブラケット５には撮像素子であるＣＣＤ６が取付けられ、ＣＣＤ６は中央部が開口された押え板７と取付け板８に挟持されるようになっている。
【０００７】
具体的には、押え板７はボルト９によって取付け板８に固定されることにより、ＣＣＤ６が押え板７の開口から露出するようにして押え板７と取付け板８に固定され、押え板８をボルト10によってブラケット５に取付けることにより、ＣＣＤ６がブラケット５に固定される。
【０００８】
また、ブラケット５の外周部からは一対の舌状部材５ａ、５ｂが突出しており、この舌状部材５ａ、５ｂは一対のコイルバネ11ａ、11ｂの一端部が当接するようになっている。このコイルバネ11ａ、11ｂの他端部は本体フレームの一部を構成するシャーシ12によって押圧されることにより、舌状部材５ａ、５ｂとシャーシ12の間の縮設され、ブラケット５を前面エスカッション１側に付勢するようになっている。
【０００９】
また、前面エスカッション１の背面にはこの前面エスカッション１の延在方向に沿って延在する図示しないガイドレールが形成されおり、ブラケット５の外周部にはこのガイドレールに沿って移動可能な突起部が形成されている。このため、ブラケット５は撮像レンズの光軸方向のみに移動可能になっている。
【００１０】
このような従来のテレビカメラにあっては、フォーカス調整リング３を一方向に回転させると、フォーカス調整リング３のカム面３ａの深い部分から浅い部分がレンズ座２に固定されたボルト４ａ、４ｂに沿って移動するため、フォーカス調整リング３がレンズ座２に対してブラケット５側に移動し、ブラケット５がコイルバネ11ａ、11ｂの付勢力に抗してレンズ座２のレンズ面から離隔する。このため、ＣＣＤ６と撮像レンズの距離が離れる。
【００１１】
一方、フォーカス調整リング３を他方向に回転させると、フォーカス調整リング３のカム面３ａの浅い部分から深い部分がレンズ座２に固定されたボルト４ａ、４ｂに沿って移動するため、フォーカス調整リング３がレンズ座２に対してブラケット５と反対方向に移動し、ブラケット５がコイルバネ11ａ、11ｂに付勢されてレンズ座２のレンズ面に近接する。このため、ＣＣＤ６と撮像レンズの距離が近づく。
【００１２】
このようにフォーカス調整リング３を回転させたときに、カム面３ａとボルト４ａ、４ｂの接触位置を可変させることにより、フォーカス調整リング３の回転運動をブラケット５の直進運動に変換し、撮像レンズとＣＣＤ６との相対距離を可変させてフォーカスを調整することができる。
【００１３】
【発明が解決しようとする課題】
しかしながら、このような従来のテレビカメラのフォーカス調整機構にあっては、フォーカス調整リング３に一対の穴３ｂを形成するとともにレンズ座２にネジ穴２ａを形成し、フォーカス調整リング３をレンズ座２に取付ける際に、レンズ座２にフォーカス調整リング３を重ねて穴３ｂとネジ穴２ａを位置合わせした後、ボルト４ａ、４ｂを穴３ｂを通してネジ穴２ａに螺合させるようになっていたため、フォーカス調整リング３をレンズ座２に取付ける作業が非常に面倒であるという問題があった。
【００１４】
また、コイルバネ11ａ、11ｂによってブラケット５を押圧する際にシャーシ12によってコイルバネ11ａ、11ｂの他端部を押圧する必要があるため、ブラケット５を押圧するための機構が面倒なものとなってしまうという問題があった。
【００１５】
このような不具合を解消するために、ブラケット５の舌状部材５ａ、５ｂに穴を設けるとともに前面エスカッション１の背面にネジ穴を設け、舌状部材５ａ、５ｂの穴を通してネジ穴に段付きネジのネジ部を螺合させるとともに、この段付きネジの頭部と舌状部材５ａ、５ｂの間にボルトを縮設することにより、押圧部材を簡素化する方法もある。しかしながら、このような方法を採用すると、段付きボルトをドライバーを用いて前面エスカッションに取付けなければならず、取付け作業が面倒なものとなってしまう。
【００１６】
そこで本発明は、フォーカス調整リングをレンズ座の外周部にワンタッチで簡単に取付けることができ、フォーカス調整リングの取付け作業の作業性を向上させることができる撮像装置を提供するものである。
【００１７】
【課題を解決するための手段】
請求項１記載の発明の撮像装置は、本体フレームと、その本体フレームの前面から突出するとともに撮像が装着可能な環状のレンズ座に回転自在に取付けられたフォーカス調整リングと、前記本体フレームの内周面に前記フォーカス調整リングと対向して設けられるとともに撮像素子が装着され、前記フォーカス調整リングの回転運動に伴ってフォーカス調整リングに近接離隔するように移動する撮像素子取付け部材と、その撮像素子取付け部材を前記フォーカス調整リング側に押圧する押圧部材とを備えた撮像装置において、前記撮像素子取付け部材の外周部に設けられた複数の突起部と、前記フォーカス調整リングの外周部に設けられ、その調整リングの円周方向に亘って延在するレール溝と、前記レンズ座の周囲の本体フレームの前面に設けられ、前記フォーカス調整リングのレール溝に係合する複数の係合突起と、前記フォーカス調整リングの前記撮像素子取付け部材と対向する面に設けられ、前記フォーカス調整リングを一方に回転させたときに前記撮像素子取付け部材の突起部に当接して前記押圧部材の付勢力に抗して前記撮像素子取付け部材をフォーカス調整リングから離隔する方向に移動させる一方、前記フォーカス調整リングを他方に回転させたときに前記撮像素子取付け部材の突起に当接して前記押圧部材の付勢力によって前記撮像素子取付け部材をフォーカス調整リングに近接させる方向に移動させるカム面とを設けた構成を有している。
【００１８】
このような構成により、フォーカス調整リングの外周部に設けられたレール溝を、レンズ座の周囲の本体フレームの前面に設けられた複数の係合突起に係合させることにより、フォーカス調整リングをレンズ座に簡単に取付けることができる。そして、フォーカス調整リングの撮像素子取付け部材と対向する面に、撮像素子取付け部材の突起部に係合してフォーカス調整リングの回転運動を撮像素子取付け部材の直進振動に変換するカム面を設けたため、撮像レンズと撮像素子の相対距離を可変自在にしてフォーカスの調整を確実に行なうことができる。
【００１９】
また、請求項２記載の発明の撮像装置は、請求項１記載の発明において、前記撮像素子取付け部材の外周部から舌状部材を突出させるとともに該舌状部材を前記本体フレームに設けられた棒状部材に摺動自在に挿通させ、前記押圧部材を、前記棒状部材に挿通されるコイルバネと、前記コイルバネを縮設させるように本体フレームに脱着自在に取付けられ、前記コイルバネによって前記撮像素子取付け部材を付勢させる押え用板バネとから構成している。
【００２０】
このような構成により、撮像素子取付け部材の舌状部材を棒状部材に挿通させた後、棒状部材にコイルバネを挿通してこのコイルバネを縮設させるように本体フレームに押え板バネを取付けることにより、撮像素子取付け部材を本体フレームに簡単に取付けることができる。
【００２１】
さらに、請求項３記載の発明の撮像装置は、請求項１または２記載の発明において、前記フォーカス調整リングの外周部の所定箇所に前記レール溝に連通する複数の切欠きが形成されるとともに前記係合突起が該切欠きを通して前記レール溝に嵌合され、前記フォーカス調整リングの内周面に、前記フォーカス調整リングが所定回転位置に位置したときに前記撮像素子取付け部材の突起部に衝止して前記切欠きと係合突起が連通するのを阻止するストッパ部を形成した構成を有している。
【００２２】
このような構成により、切欠きを通してレール溝を係合突起に係合させることによりフォーカス調整リングをレンズ座に簡単に取付けることができる。
【００２３】
また、フォーカス調整リングの内周面に、フォーカス調整リングが所定回転位置に位置したときに撮像素子取付け部材の突起部に衝止して切欠きと係合突起が連通するのを阻止するストッパ部を形成したため、レール溝と係合突起を常に係合位置に位置させることができ、切欠きを通してレール溝が係合突起から外れてしまうのを防止して、フォーカス調整リングがレンズ座から外れてしまうのを防止することができる。
【００２４】
【発明の実施の形態】
以下、本発明の実施形態に基づいて説明する。
【００２５】
図１〜７は本発明に係る撮像装置の一実施形態を示す図であり、撮像装置としては、テレビカメラ、ビデオカメラ、デジタルカメラ等に適用することができる。
【００２６】
まず、構成を説明する。図１〜４において、本体フレームの一部を構成する前面エスカッション21の前面からは環状のレンズ座22が突出しており、このレンズ座22の開口穴22ａには図示しない撮像レンズが装着されるようになっている。
【００２７】
また、このレンズ座22の外周部にはフォーカス調整リング23が回転自在に取付けられており、このフォーカス調整リング23の外周部にはその円周方向に亘ってレール溝24が延在している。また、フォーカス調整リング23の外周部の所定箇所にはレンズ座22の延在方向（光軸方向）と同方向に延在する３つの切欠き24ａ（図１中、１つのみ図示）が形成されており、この切欠き24はレール溝24ａに連通している。
【００２８】
また、前面エスカッション21の内周面には撮像素子取付け部材としてのブラケット25が取付けられており、このブラケット25には撮像素子であるＣＣＤ26を実装したプリント基板27が取付けられるようになっている。具体的には、ブラケット25に形成されたネジ穴25ａ、25ｂにボルト28ａ、28ｂによってプリント基板27が固定されるようになっている。また、ブラケット25の中央部には開口穴25ｃが形成されており、ＣＣＤ26はこの開口穴25ｃからレンズ座22側に露出している。
【００２９】
また、ブラケット25の両端部には一対の舌状部材29、30が形成されており、この舌状部材29、30には挿通孔29ａ、30ａが形成されている。
【００３０】
この挿通孔29ａ、30ａは図３に示すように前面エスカッション21の背面から突出する一対の棒状部材31ａ、31ｂに挿通されるようになっており、ブラケット25はこの棒状部材31ａ、31ｂに対して光軸方向に摺動自在となっている。
【００３１】
また、この棒状部材31ａ、31ｂにはそれぞれコイルバネ32ａ、32ｂが挿通されるようになっており、このコイルバネ32ａ、32ｂは押え用板バネ33ａ、33ｂによって縮設されている。この押え用板バネ33ａ、33ｂは基端部が図３に示すように前面エスカッション21の背面に形成された二股の係合溝34ａ、34ｂにそれぞれ係合することにより前面エスカッション21に取付けられるようになっており、前面エスカッション21に取付けられたときにコイルバネ32ａ、32ｂを縮設させてブラケット25をフォーカス調整リング23に向かって付勢するようになっている。
【００３２】
一方、ブラケット25の外周部には３つの突起部35ａ〜35ｃが設けられており、この突起部35ａ〜35ｃはフォーカス調整リング23側に突出し、フォーカス調整リング23と当接可能になっている。なお、本実施形態では、コイルバネ32ａ、32ｂおよび押え用板バネ33ａ、33ｂが押圧部材を構成している。
【００３３】
また、レンズ座22の周囲の前面エスカッション21には３つの係合突起36ａ〜36ｃが設けられており、この係合突起36ａ〜36ｃは切欠き24ａを通してレール溝24に係合可能になっている。
【００３４】
また、フォーカス調整リング23のブラケット25と対向する面にはカム面37ａ〜37ｃが設けられており、このカム面37ａ〜37ｃはそれぞれブラケット25の突起部35ａ〜35ｃに当接するようになっている。
【００３５】
このカム面37ａ〜37ｃはブラケット25に対して深い面Ａ、段差面Ｂおよび浅い面Ｃを有しており、フォーカス調整リング23を回転させたときに各面Ａ、Ｂ、Ｃにブラケット25の係合突起35ａ〜35ｃを係合させることにより、フォーカス調整リング23の回転運動をブラケット25の直進運動に変換し、撮像レンズとＣＣＤ26を近接離隔させることでＣＣＤ26と撮像レンズの距離を可変させ、フォーカス調整を行なうようになっている。
【００３６】
また、フォーカス調整リング23の内周面には複数のストッパ部38ａ〜38ｃが形成されており、このストッパ部38ａ〜38ｃはフォーカス調整リング23が所定回転位置に位置したときにブラケット25の突起部35ａ〜35ｃに衝止してフォーカス調整リング23の回転を規制し、切欠き24ａと係合突起36ａ〜36ｃが連通するのを阻止するようになっている。なお、図１中、符号39は前面エスカッション21の外周部に装着されるカバーである。
【００３７】
次に、撮像装置を組立てる方法を説明する。
【００３８】
まず、カバー39を前面エスカッション21に装着する。次いで、フォーカス調整リング23をレンズ座22に重ねて各切欠き24ａと係合突起36ａ〜36ｃを位置合わせした後、切欠き24ａを通してレール溝24を係合突起36ａ〜36ｃに係合させることにより、フォーカス調整リング23をレンズ座22に取付ける。
【００３９】
次いで、ブラケット25に形成されたネジ穴25ａ、25ｂにボルト28ａ、28ｂによってプリント基板27を固定した後、ブラケット25を前面エスカッション21に取付けるために、舌状部材29、30の挿通孔29ａ、30ａを棒状部材31ａ、31ｂに挿通した後、コイルバネ32ａ、32ｂを棒状部材31ａ、31ｂに挿通する。
【００４０】
次いで、押え用板バネ33ａ、33ｂの基端部を二股の係合溝34ａ、34ｂにそれぞれ係合することによりコイルバネ32ａ、32ｂを押え用板バネ33ａ、33ｂと舌状部材29、30の間に縮設することにより、コイルバネ32ａ、32ｂによってブラケット25をフォーカス調整用リング23側に付勢する。
【００４１】
次に、図５〜７に基づいてフォーカス調整方法を説明する。
【００４２】
まず、図５に示すように、フォーカス調整リング23を矢印Ｌで示す左側（他方側）に回転させると、ストッパ部38ａ〜38ｃが突起部35ａ〜35ｃに衝止するため、フォーカス調整リング23の回転を規制して、切欠き24ａと係合突起36ａ〜36ｃが連通することが阻止される。このため、レール溝24が係合突起36ａ〜36ｃから抜け出ることがなく、フォーカス調整リング23をレンズ座22に確実に取付けることができる。
【００４３】
また、このとき、カム面37ａ〜37ｃの深い面Ａが突起部35ａ〜35ｃに当接するため、ブラケット25がコイルバネ32ａ、32ｂに付勢されてフォーカス調整リング23側に移動し、ＣＣＤ26がレンズ座22に設けられた撮像レンズ側に近接する。
【００４４】
次いで、この状態からフォーカス調整リング23を図６に矢印Ｒで示す右側（一方側）に回転させると、突起部35ａ〜35ｃがカム面37ａ〜37ｃの深い面Ａから段差面Ｂに当接するため、ブラケット25がコイルバネ32ａ、32ｂの付勢力に抗してフォーカス調整リング23から離隔する方向に移動を開始するため、ＣＣＤ26がレンズ座22に設けられた撮像レンズ側に離隔する方向に移動を開始し、フォーカス調整を行なう。
【００４５】
さらに、フォーカス調整リング23を図７に矢印Ｒで示すように右側に回転させると、突起部35ａ〜35ｃがカム面37ａ〜37ｃの段差面Ｂから浅い面Ｃに当接する。このため、ブラケット25がコイルバネ32ａ、32ｂの付勢力に抗してフォーカス調整リング23からさらに離隔する方向に移動するため、ＣＣＤ26がレンズ座22に設けられた撮像レンズからさらに離隔する方向に移動を開始し、フォーカス調整が継続して行なわれる。
【００４６】
また、フォーカス調整リング23を図７で示す状態から左側に回転させると、上述した動作と逆にブラケット25がフォーカス調整リング23に近接する方向に移動して撮像レンズをＣＣＤ26に近接させる。
【００４７】
このように、フォーカス調整リング23を左右方向に回転させたときにカム面37ａ〜37ｃの深い面Ａ〜浅い面Ｃにブラケット25の係合突起35ａ〜35ｃを係合させることにより、フォーカス調整リング23の回転運動をブラケット25の直進運動に変換し、撮像レンズとＣＣＤ26を近接離隔させることでＣＣＤ26と撮像レンズの距離を可変させ、フォーカス調整を行なうことができる。
【００４８】
このように本実施形態では、フォーカス調整リング23の外周部に設けられたレール溝24を、レンズ座22の周囲の前面エスカッション21の前面に設けられた複数の係合突起36ａ〜36ｃに係合させることにより、フォーカス調整リング23をレンズ座22に簡単に取付けることができる。
【００４９】
そして、フォーカス調整リング22のブラケット25と対向する面に、ブラケット25の突起部35ａ〜35ｃに係合してフォーカス調整リング23の回転運動をブラケット25の直進振動に変換するカム面37ａ〜37ｃを設けたため、撮像レンズとＣＣＤ26の相対距離を可変自在にしてフォーカスの調整を確実に行なうことができる。
【００５０】
また、押圧部材を、エスカッション21の背面に設けられた棒状部材31ａ、31ｂに挿通されるコイルバネ32ａ、32ｂと、コイルバネ32ａ、32ｂを縮設させるように前面エスカッション21の背面に設けられた係合溝34ａ、34ｂに脱着自在に取付けられ、コイルバネ32ａ、32ｂによってブラケット25を付勢する押え用板バネ33ａ、33ｂとから構成したため、ブラケット25を前面エスカッション21に簡単に取付けることができる。
【００５１】
さらに、フォーカス調整リング23の外周部の所定箇所にレール溝24に連通する複数の切欠き24ａを形成するとともに係合突起36ａ〜36ｃを切欠き24ａを通してレール溝24に嵌合し、フォーカス調整リング23の内周面に、フォーカス調整リング23が所定回転位置に位置したときにブラケット25の突起部35ａ〜35ｃに衝止して切欠き24ａと係合突起36ａ〜36ｃが連通するのを阻止するストッパ部38ａ〜38ｃを形成したため、切欠き24ａを通してレール溝24を係合突起36ａ〜36ｃに係合させることによりフォーカス調整リング23をレンズ座22に簡単に取付けることができるとともに、ストッパ部38ａ〜38ｃによってレール溝24と係合突起36ａ〜36ｃを常に係合位置に位置させることができ、切欠き24ａを通してレール溝24が係合突起36ａ〜36ｃから外れてしまうのを防止して、フォーカス調整リング23がレンズ座22から外れてしまうのを防止することができる。
【００５２】
【発明の効果】
本発明によれば、フォーカス調整リングの外周部に設けられたレール溝を、レンズ座の周囲の本体フレームの前面に設けられた複数の係合突起に係合させることにより、フォーカス調整リングをレンズ座に簡単に取付けることができる。そして、フォーカス調整リングの撮像素子取付け部材と対向する面に、撮像素子取付け部材の突起部に係合してフォーカス調整リングの回転運動を撮像素子取付け部材の直進振動に変換するカム面を設けたため、撮像レンズと撮像素子の相対距離を可変自在にしてフォーカスの調整を確実に行なうことができる撮像装置を提供することができる。
【図面の簡単な説明】
【図１】本発明に係る撮像装置の一実施形態を示す図であり、その撮像装置の分解斜視図である。
【図２】一実施形態の撮像装置のフォーカス調整機構の側面断面図である。
【図３】（ａ）は一実施形態の前面エスカッションの背面図、（ｂ）は同図（ａ）のＡ−Ａ方向矢視断面図である。
【図４】一実施形態のフォーカス調整リングとブラケットの当接状態を示すその背面図である。
【図５】一実施形態のフォーカス調整リングを他方向に回転させたときのブラケットの突起とフォーカス調整リングのカム面の深い面が当接した状態を示す図である。
【図６】一実施形態のフォーカス調整リングを一方向に回転させたときのブラケットの突起とフォーカス調整リングのカム面の段差面が当接した状態を示す図である。
【図７】一実施形態のフォーカス調整リングを一方向に回転させたときのブラケットの突起とフォーカス調整リングのカム面の浅い面が当接した状態を示す図である。
【図８】従来の撮像装置の分解斜視図である。
【図９】従来の撮像装置の側面断面図である。
【図１０】従来のフォーカス調整リングの斜視図である。
【符号の説明】
21    前面エスカッション（本体フレーム）
22    レンズ座
23    フォーカス調整リング
24    レール溝
24ａ    切欠き
25    ブラケット（撮像素子取付け部材）
26    ＣＣＤ（撮像阻止）
29、30    舌状部材
31ａ、31ｂ    棒状部材
32ａ、32ｂ    コイルバネ（押圧部材）
33ａ、33ｂ    押え用板バネ（押圧部材）
35ａ〜35ｃ    突起部
36ａ〜36ｃ    係合突起
37ａ〜37ｃ    カム面
38ａ〜38ｃ    ストッパ部
【図１】
0003720227.tif 000002
【図２】
0003720227.tif 000003
【図３】
0003720227.tif 000004
【図４】
0003720227.tif 000005
【図５】
0003720227.tif 000006
【図６】
0003720227.tif 000007
【図７】
0003720227.tif 000008
【図８】
0003720227.tif 000009
【図９】
0003720227.tif 000010
【図１０】
0003720227.tif 000011